(57)【要約】【目的】反射光学素子の反射面への埃、ちり等の付着を抑えて投影画像劣化を防ぐことができるプロジェクタ装置を提供すること。【構成】光を射出する光源と、該光源からの光をスイッチングして光像に変換するライトバルブと、該ライトバルブによって変換された光像を共軸レンズと少なくとも１枚の反射光学素子によってスクリーンに拡大投影するプロジェクタ装置において、前記共軸レンズと前記反射光学素子を保持する箱形状の保持部材の光路中の射出側開口部を光通過用の透明部材で閉じる。【選択図】　　　図１
2004012749.tif 000002
【特許請求の範囲】
【請求項１】
光を射出する光源と、該光源からの光をスイッチングして光像に変換するライトバルブと、該ライトバルブによって変換された光像を共軸レンズと少なくとも１枚の反射光学素子によってスクリーンに拡大投影するプロジェクタ装置において、
前記共軸レンズと前記反射光学素子を保持する箱形状の保持部材の光路中の射出側開口部を光通過用の透明部材で閉じたことを特徴とするプロジェクタ装置。
【請求項２】
光を射出する光源と、該光源からの光をスイッチングして光像に変換するライトバルブと、該ライトバルブによって変換された光像を複数の反射光学素子によってスクリーンに拡大投影するプロジェクタ装置において、
前記複数の反射光学素子を保持する箱形状の保持部材の光路中、入射側及び射出側開口部を光通過用の透明部材で閉じたことを特徴とするプロジェクタ装置。
【請求項３】
光を射出する光源と、該光源からの光をスイッチングして光像に変換するライトバルブと、該ライトバルブによって変換された光像を複数の反射光学素子によってスクリーンに拡大投影するプロジェクタ装置において、
前記複数の反射光学素子を保持する箱形状の保持部材の光路中、射出側開口部を光通過用の透明部材で閉じたことを特徴とするプロジェクタ装置。
【請求項４】
反射光学素子の反射面は曲面で構成されることを特徴とする請求項１，２又は３記載のプロジェクタ装置。
【請求項５】
共軸レンズと少なくとも１枚の反射光学素子の組み合わせ或は複数の反射光学素子、これらを保持する箱形状の保持部材の入射側底部に設けた開口にエアフィルター配置したことを特徴とする請求項１又は２記載のプロジェクタ装置。
【発明の詳細な説明】
【０００１】
【発明の属する技術分野】
本発明は、ライトバルブにより形成した光像をスクリーン部材に拡大投影するようにしたプロジェクタ装置に関する。
【０００２】
【従来の技術】
従来、ライトバルブによって変換された光像をスクリーンに拡大投影する手段として共軸レンズが用いられている。
【０００３】
図５に共軸レンズによる従来のリアプロジェクタの概要を示す。
【０００４】
図５において、１００は液晶パネル等のライトバルブ、照明用ランプ、パネル駆動回路等を内蔵する光学エンジンケースで共軸系投射レンズ１０１から投射された画像は反射ミラー１０２を介してスクリーン１０３に投影される。
【０００５】
共軸レンズ１０１は一般的に複数のレンズが１つの鏡筒内に収められているため、埃、ちり等がレンズ表面に付着することが少なく、投影画像に悪影響を及ぼすことが少ない。
【０００６】
一方、透過型スクリーンに背面から光像を拡大投影するリアプロジェクタにおいては、近年、大画面薄型化の要求が大きく、その実現のため所謂オフアキシャル光学系（軸外し光学系）として複数の反射ミラーによりスクリーンに拡大投影するリアプロジェクタが提案されている。
【０００７】
【発明が解決しようとする課題】
しかしながら、前記反射ミラーによるオフアキシャル光学系においては、その反射面が露出しているため、埃、ちりが該ミラー面に付着し易く投影画像劣化の原因の１つとなっていた。
【０００８】
本発明は上記問題に鑑みてなされたもので、その目的とする処は、反射光学素子の反射面への埃、ちり等の付着を抑えて投影画像劣化を防ぐことができるプロジェクタ装置を提供することにある。
【０００９】
【課題を解決するための手段】
上記目的を達成するため、本発明は、光を射出する光源と、該光源からの光をスイッチングして光像に変換するライトバルブと、該ライトバルブによって変換された光像を共軸レンズと少なくとも１枚の反射光学素子によってスクリーンに拡大投影するプロジェクタ装置において、前記共軸レンズと前記反射光学素子を保持する箱形状の保持部材の光路中の射出側開口部を光通過用の透明部材で閉じたことを特徴とする。
【００１０】
又、本発明は、光を射出する光源と、該光源からの光をスイッチングして光像に変換するライトバルブと、該ライトバルブによって変換された光像を複数の反射光学素子によってスクリーンに拡大投影するプロジェクタ装置において、前記複数の反射光学素子を保持する箱形状の保持部材の光路中、入射側及び射出側開口部を光通過用の透明部材で閉じたことを特徴とする。
【００１１】
更に、本発明は、光を射出する光源と、該光源からの光をスイッチングして光像に変換するライトバルブと、該ライトバルブによって変換された光像を複数の反射光学素子によってスクリーンに拡大投影するプロジェクタ装置において、前記複数の反射光学素子を保持する箱形状の保持部材の光路中、射出側開口部を光通過用の透明部材で閉じたことを特徴とする。
【００１２】
【発明の実施の形態】
以下に本発明の実施の形態を添付図面に基づいて説明する。
【００１３】
＜実施の形態１＞
図１は本発明によるオフアキシャル投射光学系の詳細を説明する図、図２は本発明によるオフアキシャル投射光学系を採用したリアプロジェクタ装置の概要を示す図である。
【００１４】
以下、図に従って説明する。
【００１５】
図１において、１は光源であるランプ２からの光をスイッチングして光像に変換するライトバルブとしての透過型液晶パネル、３は共軸レンズで、反射光学素子としての複数の曲面ミラー４，５，６と共に後述するスクリーンに画像を拡大投影するためのオフアキシャル投射光学系を形成している。
【００１６】
７は共軸レンズ３、曲面ミラー４，５，６を所定位置に固定する箱形状をしたミラーボックスである。
【００１７】
透過型液晶パネル１でスイッチングされた光像は共軸レンズ３、曲面ミラー４，５，６により投影画像としてミラーボックス７の射出側開口部８から投射される。
【００１８】
ミラーボックス７の入射側低部開口部にはエアフィルター９及が設けられている。
【００１９】
１０は射出側開口部８を塞ぐように設けられた光透過用の透明部材でガラス或は樹脂により構成されている。
【００２０】
環境温度の変化によりミラーボックス７内の空気は膨張収縮を繰り返すが、エアフィルタ９を介して出入りするため、外部の埃、ちりがミラーボックス７内に侵入することがない。
【００２１】
図２は本発明によるオフアキシャル投射光学系によるリアプロジェクタ装置の概要を示す図であり、前述したオフアキシャル光学系２００から投射された画像は反射ミラー１２を介して透過型スクリーン１３に投影される。
【００２２】
＜実施の形態２＞
図３に本発明によるオフアキシャル投射光学系の他の実施例を示す。
【００２３】
以下、図１と同様の構成要素には同じ符号を用いて説明する。
【００２４】
以下、図に従って説明する。
【００２５】
図３において、１は光源であるランプ２からの光をスイッチングして光像に変換するライトバルブとしての透過型液晶パネルで反射光学素子としての複数の曲面ミラー４，５，６とにより前述したスクリーンに画像を拡大投影するためのオフアキシャル投射光学系を形成している。
【００２６】
７は曲面ミラー４，５，６を所定位置に固定する箱形状をしたミラーボックスである。
【００２７】
透過型液晶パネル１でスイッチングされた光像は曲面ミラー４，５，６により投影画像としてミラーボックス７の射出側開口部８から投射される。
【００２８】
ミラーボックス７の入射側低部開口部にはエアフィルター９及が設けられている。
【００２９】
１０は射出側開口部８を塞ぐように設けられた光透過用の透明部材、１１は入射側開口部を塞ぐように設けられた光透過用の透明部材でガラス或は樹脂により構成されている。
【００３０】
環境温度の変化によりミラーボックス７内の空気は膨張収縮を繰り返すが、エアフィルタ９を介して出入りするため、外部の埃、ちりがミラーボックス７内に侵入することがない。
【００３１】
＜実施の形態３＞
図４に本発明によるオフアキシャル投射光学系の他の実施例を示す。
【００３２】
以下、図１と同様の構成要素には同じ符号を用いて説明する。
【００３３】
以下、図に従って説明する。
【００３４】
図４において、１は光源であるランプ２からの光をスイッチングして光像に変換するライトバルブとしての透過型液晶パネルで反射光学素子としての複数の曲面ミラー４，５，６とにより前述したスクリーンに画像を拡大投影するためのオフアキシャル投射光学系を形成している。
【００３５】
７は曲面ミラー４，５，６を所定位置に固定する箱形状をしたミラーボックスである。
【００３６】
透過型液晶パネル１でスイッチングされた光像は曲面ミラー４，５，６により投影画像としてミラーボックス７の射出側開口部８から投射される。
【００３７】
１０は射出側開口部８を塞ぐように設けられた光透過用の透明部材でガラス或は樹脂により構成されている。
【００３８】
射出側開口部８が塞がれているため、外部の埃、ちりのミラーボックス７内への侵入を減らすことができる。
【００３９】
＜実施の形態４＞
実施の形態１，２においては光源であるランプ２からの光をスイッチングして光像に変換するライトバルブとして透過型液晶パネルを用いているが、ライトバルブとして反射型の液晶パネルやデジタル・マイクロミラー・デバイス所謂ＤＭＤを用いても良い。
【００４０】
【発明の効果】
以上の説明で明らかなように、本発明によれば、反射ミラーを用いたオフアキシャル投射光学系において、該反射ミラー面への埃、ちりの付着を防止することができるため投影画像劣化を防ぐことが可能となった。
【図面の簡単な説明】
【図１】本発明によるオフアキシャル投射光学系の詳細を説明する図である。
【図２】本発明によるオフアキシャル投射光学系を採用したリアプロジェクタ装置の概要を示す図である。
【図３】本発明によるオフアキシャル投射光学系の他の実施例を示す図である。
【図４】本発明によるオフアキシャル投射光学系の他の実施例を示す図である。
【図５】共軸レンズによる従来のリアプロジェクタの概要を示す図である。
【符号の説明】
１　　　　透過型液晶パネル
２　　　　ランプ
３　　　　共軸レンズ
４〜６　　反射ミラー
７　　　　ミラーボックス
８　　　　射出側開口部
９　　　　エアフィルター
１０　　　光透過用の透明部材
１３　　　透過型スクリーン
１００　　従来の投射系共軸レンズ
【図１】
2004012749.tif 000003
【図２】
2004012749.tif 000004
【図３】
2004012749.tif 000005
【図４】
2004012749.tif 000006
【図５】
2004012749.tif 000007